(57)【特許請求の範囲】
【請求項１】
高架橋その他の橋梁の側壁に設けられた開口部に取り付けられて、投雪された、前記橋梁上の積雪を受け止めて集雪するための除排雪集雪装置であって、前記開口部の下側の前記側壁に傾倒自在に固定される略矩形の中板と、略三角形をなし、前記中板が倒れた状態において、斯かる中板の両側の辺と１辺が接するように、前記側壁の、前記中板の両側の部分に、傾倒自在に各別に固定される２枚の側板とを備えたことを特徴とする除排雪集雪装置。
【請求項２】
高架橋その他の橋梁の側壁に設けられた開口部に取り付けられて、投雪された、前記橋梁上の積雪を受け止めて集雪するための除排雪集雪装置であって、前記開口部の下側の前記側壁に傾倒自在に固定される略矩形の中板と、該中板の両辺に傾倒自在に各別に固定された略三角形の２枚の側板とを備えたことを特徴とする除排雪集雪装置。
【請求項３】
高架橋その他の橋梁の側壁に設けられた開口部に取り付けられて、投雪された、前記橋梁上の積雪を受け止めて集雪するための除排雪集雪装置であって、投雪された積雪を受ける受け部と、前記開口部から排雪可能な角度を有するように前記開口部の下辺部に固定される、前記中板の下辺に設けられた固定部とを備えたことを特徴とする除排雪集雪装置。
【請求項４】
前記側板は１枚であることを特徴とする請求項１乃至３のいずれかに記載の除排雪集雪装置。
【請求項５】
高架橋その他の橋梁の側壁に設けられた開口部に取り付けられて、集雪された、前記橋梁上の積雪を地上の所定位置に搬出するための除排雪搬出装置であって、前記開口部に取り付けられる搬出部と、外輪郭筒状をなし、一端が前記搬出部に固定され、他端が前記所定位置に至る取り卸し部とを備えたことを特徴とする除排雪搬出装置。
【請求項６】
前記一端を中心として回動可能に前記搬出部に固定され、不使用時には前記他端は前記側壁に固定されることを特徴とする請求項５に記載の除排雪搬出装置。
【請求項７】
可撓性を有することを特徴とする請求項５又は６に記載の除排雪搬出装置。
【請求項８】
請求項１乃至４のいずれかに記載除排雪集雪装置を備えたことを特徴とする橋梁。
【請求項９】
さらに請求項５乃至７のいずれかに記載の除排雪搬出装置を備えたことを特徴とする請求項８に記載の橋梁。
【請求項１０】
高架橋その他の橋梁の側壁に設けられた側壁の上部に取り付けられて、投雪された、前記橋梁上の積雪を受け止めて集雪するための除排雪集雪装置において、前記側壁の内側に位置し、高架橋中心部から側壁側に向かって低くなるように傾斜するように前記側壁の上端部に固定された受け板を備えた除排雪集雪装置に集雪された雪を地上の所定位置に搬出するための除排雪搬出装置であって、前記側壁の外側に取り付けられる搬出部と、外輪郭筒状をなし、一端が前記搬出部に連通するように固定され、他端が前記所定位置に至る取り卸し部を備え、前記一端は前記搬出部に回動自在に固定されたことを特徴とする除排雪搬出装置。
【請求項１１】
高架橋その他の橋梁の側壁に設けられた側壁の上部に取り付けられて、投雪された、前記橋梁上の積雪を受け止めて集雪するための除排雪集雪装置において、前記側壁の内側に位置し、高架橋中心部から側壁側に向かって低くなるように傾斜するように前記側壁の上端部に固定された受け板を備え、前記受け板は、傾倒可能なように、前記側壁の上端部に下辺が固定されている除排雪集雪装置に集雪された雪を地上の所定位置に搬出するための除排雪搬出装置であって、前記側壁の外側に取り付けられる搬出部と、外輪郭筒状をなし、一端が前記搬出部に連通するように固定され、他端が前記所定位置に至る取り卸し部を備え、前記一端は前記搬出部に回動自在に固定されたことを特徴とする除排雪搬出装置。
【請求項１２】
可撓性を有することを特徴とする請求項１０又は１１に記載の除排雪搬出装置。
【請求項１３】
請求項１０又は１１に記載の除排雪搬出装置を備えたことを特徴とする橋梁。
【請求項１４】
さらに請求項１２に記載の除排雪搬出装置を備えたことを特徴とする請求項１３に記載の橋梁。
【発明の詳細な説明】
【０００１】
【発明の属する技術分野】
本発明は、特に高架橋に用いて好適な除排雪集雪装置及び除排雪搬出装置に属する。
【０００２】
【従来の技術】
従来から、高架橋上の除排雪及び消融雪技術として種々のものが開発・提供されている。
代表的な技術を示すと、消雪装置（スプリンクラー等）を用いて消雪する方法、除雪車両を用いて高架橋の側方に投雪する方法、側壁に設けられた排雪扉から人間がスコップ等を用いて、或いは機械により排雪する方法がある。
【０００３】
【発明が解決しようとする課題】
しかしながら、消雪装置を用いる方法では、消雪装置の耐用年数が短い為、維持管理、設備更新に手間、費用がかかるという問題点があった。また、水を大量に使用し、しかも水を加熱するのでランニングコストが高いという問題点があった。
【０００４】
また、除雪車両を用いる方法では、用地が狭い場合（例えば、用地が高架橋直下のみの場合）には用地内に投雪できないという問題点があった。
【０００５】
また、側壁の開口部から人力で排雪する方法は大変な労力を要するという問題点があった。
【０００６】
本発明は斯かる問題点を鑑みてなされたものであり、その目的とするところは、設備の維持管理、設備更新が簡易であり、費用を低減でき、雪処理のためのランニングコストが低く、用地が狭い場合にも排雪でき、しかも労力が極端に低減できる技術を提供する点にある。
【０００７】
【課題を解決するための手段】
本発明は上記課題を解決すべく、以下に掲げる構成とした。
請求項１記載の発明の要旨は、高架橋その他の橋梁の側壁に設けられた開口部に取り付けられて、投雪された、前記橋梁上の積雪を受け止めて集雪するための除排雪集雪装置であって、前記開口部の下側の前記側壁に傾倒自在に固定される略矩形の中板と、略三角形をなし、前記中板が倒れた状態において、斯かる中板の両側の辺と１辺が接するように、前記側壁の、前記中板の両側の部分に、傾倒自在に各別に固定される２枚の側板とを備えたことを特徴とする除排雪集雪装置に存する。
請求項２記載の発明の要旨は、高架橋その他の橋梁の側壁に設けられた開口部に取り付けられて、投雪された、前記橋梁上の積雪を受け止めて集雪するための除排雪集雪装置であって、前記開口部の下側の前記側壁に傾倒自在に固定される略矩形の中板と、該中板の両辺に傾倒自在に各別に固定された略三角形の２枚の側板とを備えたことを特徴とする除排雪集雪装置に存する。
請求項３記載の発明の要旨は、高架橋その他の橋梁の側壁に設けられた開口部に取り付けられて、投雪された、前記橋梁上の積雪を受け止めて集雪するための除排雪集雪装置であって、投雪された積雪を受ける受け部と、前記開口部から排雪可能な角度を有するように前記開口部の下辺部に固定される、前記中板の下辺に設けられた固定部とを備えたことを特徴とする除排雪集雪装置に存する。
請求項４記載の発明の要旨は、前記側板は１枚であることを特徴とする請求項１乃至３のいずれかに記載の除排雪集雪装置に存する。
請求項５記載の発明の要旨は、高架橋その他の橋梁の側壁に設けられた開口部に取り付けられて、集雪された、前記橋梁上の積雪を地上の所定位置に搬出するための除排雪搬出装置であって、前記開口部に取り付けられる搬出部と、外輪郭筒状をなし、一端が前記搬出部に固定され、他端が前記所定位置に至る取り卸し部とを備えたことを特徴とする除排雪搬出装置に存する。
請求項６記載の発明の要旨は、前記一端を中心として回動可能に前記搬出部に固定され、不使用時には前記他端は前記側壁に固定されることを特徴とする請求項５に記載の除排雪搬出装置に存する。
請求項７記載の発明の要旨は、可撓性を有することを特徴とする請求項５又は６に記載の除排雪搬出装置に存する。
請求項８記載の発明の要旨は、請求項１乃至４のいずれかに記載除排雪集雪装置を備えたことを特徴とする橋梁に存する。
請求項９記載の発明の要旨は、さらに請求項５乃至７のいずれかに記載の除排雪搬出装置を備えたことを特徴とする請求項８に記載の橋梁に存する。
請求項１０記載の発明の要旨は、高架橋その他の橋梁の側壁に設けられた側壁の上部に取り付けられて、投雪された、前記橋梁上の積雪を受け止めて集雪するための除排雪集雪装置において、前記側壁の内側に位置し、高架橋中心部から側壁側に向かって低くなるように傾斜するように前記側壁の上端部に固定された受け板を備えた除排雪集雪装置に集雪された雪を地上の所定位置に搬出するための除排雪搬出装置であって、前記側壁の外側に取り付けられる搬出部と、外輪郭筒状をなし、一端が前記搬出部に連通するように固定され、他端が前記所定位置に至る取り卸し部を備え、前記一端は前記搬出部に回動自在に固定されたことを特徴とする除排雪搬出装置に存する。
請求項１１記載の発明の要旨は、高架橋その他の橋梁の側壁に設けられた側壁の上部に取り付けられて、投雪された、前記橋梁上の積雪を受け止めて集雪するための除排雪集雪装置において、前記側壁の内側に位置し、高架橋中心部から側壁側に向かって低くなるように傾斜するように前記側壁の上端部に固定された受け板を備え、前記受け板は、傾倒可能なように、前記側壁の上端部に下辺が固定されている除排雪集雪装置に集雪された雪を地上の所定位置に搬出するための除排雪搬出装置であって、前記側壁の外側に取り付けられる搬出部と、外輪郭筒状をなし、一端が前記搬出部に連通するように固定され、他端が前記所定位置に至る取り卸し部を備え、前記一端は前記搬出部に回動自在に固定されたことを特徴とする除排雪搬出装置に存する。
請求項１２記載の発明の要旨は、可撓性を有することを特徴とする請求項１０又は１１に記載の除排雪搬出装置に存する。
請求項１３記載の発明の要旨は、請求項１０又は１１に記載の除排雪搬出装置を備えたことを特徴とする橋梁に存する。
請求項１４記載の発明の要旨は、さらに請求項１２に記載の除排雪搬出装置を備えたことを特徴とする請求項１３に記載の橋梁に存する。
【０００８】
【発明の実施の形態】
以下、本発明の実施の形態を図面に基づいて詳細に説明する。
【０００９】
（実施の形態１）
図１，３，５に示すように、本実施の形態１に係る高架橋（橋梁）は、側壁に開口部１が設けられ、この開口部１の、側壁の内側に取り付けられている除排雪集雪装置２と、側壁の外側に取り付けられている除排雪搬出装置３とを備えている。図１，３，５はそれぞれ高架橋の構造を示す断面図、平面図、側面図である。
【００１０】
除排雪集雪装置２は、図８に示すように、中板２ａと、２枚の側板２ｂとから概略構成されている。中板２ａは、開口部１の下側の側壁に傾倒自在にヒンジにより固定される略矩形の板状体である。各側板２ｂは、等しいものであり、それぞれ、略三角形をなしている。中板２ａが倒れた状態（図１に示す状態）において、斯かる中板２ａの両側の辺と１辺が接するように、側壁の、中板２ａの両側の部分に、傾倒自在に各別にヒンジにより固定されている。倒れた状態において中板２ａ及び側板２ｂが所定角度において止まるようにするには、図９に示すように、互いに接する部分に係合部を設けて係合させる、チェーン等で互いに締結する、ヒンジが所定角度以上倒れないようにする等、本発明を実施する上で好適な手段を用いることができる。図９は倒れた状態の横断面図である。
【００１１】
除排雪搬出装置３は、開口部１に取り付けられる搬出部３ａと、外輪郭筒状をなし、一端が開口部１に固定され、他端が所定位置に至る取り卸し部３ｂとから概略構成されている。本実施の形態１においては、取り卸し部３ｂは、一端を中心として回動可能に開口部１に固定され、不使用時には他端は搬出部３ａを介して側壁に固定されている。
【００１２】
除排雪集雪装置２及び除排雪搬出装置３の材質は、投雪された積雪を受け止め集雪に耐えられる程度の強度を有すれば足り、鋼製、プラスティック等、本発明を実施する上で好適なものにすることができる。
【００１３】
本実施の形態１によれば、斯かる構成により、高架橋外の所定位置（取卸し位置）５に雪を集雪することが出来る。集雪するには、図１及び図３に示すように集雪用車両を用いたり、図７に示すようにベルトコンベア等を用いて行えばよい。
【００１４】
また、高架橋上に積雪した雪を除雪機械などを用いて高架橋外の所定位置へ排雪することができる。これにより、高架下や高架橋周辺部が第３者により利用されるなどのため、従来高架橋外への排雪が困難であった箇所についても機械等で効率的に高架橋外への除雪が可能である。
【００１５】
また、搬出装置３は取り卸し部３ｂが可動式・伸縮可能な構造となっているので、取り卸し位置５を変更できる。
【００１６】
また、除排雪集雪装置２は夏期などの非使用時には図５（点線）に示すように収納も可能であり、非使用時の上空占用を最小限にとどめ、下部の使用が可能である。
【００１７】
また、図８のように除排雪集雪装置２を閉じれば（収納すれば）開口部１を閉塞することができる、防音手段にもなる。図８は、図３の上側に示す状態を示している。
【００１８】
なお、図１０に示すように除排雪集雪装置２’として、開口部１の下側の側壁に傾倒自在に固定される略矩形の中板２ａ’と、この中板２ａ’の両辺に傾倒自在に各別に固定された略三角形の２枚の側板２ｂ’とから概略構成されるようにすることもできる。収納するには、図１１に示すように両側板２ｂ’を側壁側に折り畳み中板２ａ’を側壁にボルトにより固定すればよい。
【００１９】
また、側板２ｂ，２ｂ’を１枚にする（１枚を省く）こともできる。
【００２０】
また、搬出部と、開口部１から排雪可能な角度を有するように開口部１の下辺部に固定される、中板の下辺に設けられた固定部とから概略構成することもできる。本実施の形態においては、搬出部は、図１２及び図１３に示すように、球殻上をなしている。また、固定部は、図１３に示すように、断面逆コの字状をなし、開口部１の下縁に勘合して固定される。
【００２１】
また、取り卸し部として、スノーダクト（商標）等の可撓性を有するものを用いることもできる。
【００２２】
また、水を使用した消雪装置の場合に生ずる凍結・漏水等を防止する。また、凍結・融解が起こる場合に生じるモルタル等の劣化を抑制できることが考えられる。
【００２３】
（実施の形態２）
実施の形態２に係る高架橋は、図２，４，６に示すように側壁に取り付けられている除排雪集雪装置１２と、この除排雪集雪装置１２に集雪された積雪を所定位置に搬出する除排雪搬出装置１３とを備えている。
【００２４】
除排雪集雪装置１２は、側壁の内側に位置し、線路側から側壁側に向かって低くなるように傾斜するように側壁の上端部に固定された受け板１２ａを備えている。受け板１２ａは、傾倒可能なように、側壁の上端部に下辺が固定されている。傾倒可能な手段については、実施の形態１のごとく、ヒンジによる固定等、本発明を実施する上で好適な手段を用いればよい。
【００２５】
除排雪搬出装置１３は、受け板１２ａが受け止めた投雪を集雪する、側壁の外側に設けられた搬出部１３ａと、外輪郭筒状をなし、一端が搬出部１３ａに連通するように固定され、他端が所定位置１５に至る取り卸し部１３ｂを備えている。取り卸し部１３ｂは、一端を中心として回動可能に搬出部１３ａに固定され、不使用時には他端は側壁に固定される。
【００２６】
なお、高架橋のどの位置でも仮設が可能であり、簡易に移設が可能である。
【００２７】
また、上記構成部材の数、位置、形状等は上記実施の形態に限定されず、本発明を実施する上で好適な数、位置、形状等にすることができる。
【００２８】
なお、各図において、同一構成要素には同一符号を付している。
【００２９】
【発明の効果】
本発明は以上のごとく構成されているので、設備の維持管理、設備更新が簡易であり、費用を低減でき、雪処理のためのランニングコストが低く、用地が狭い場合にも排雪でき、しかも労力が極端に低減できる。
【図面の簡単な説明】
【図１】本発明の実施の形態１に係る側壁開口集雪式高架橋構造の一般的な断面図である（右側：使用状態、左側：収納状態）。
【図２】本発明の実施の形態２に係る側壁外方集雪式高架橋構造の一般的な断面図である（右側：使用状態、左側：収納状態）。
【図３】図１に示す側壁開口集雪式高架橋構造の一般的な平面図である（下側：使用状態、上側：収納状態）。
【図４】図２に示す側壁外方集雪式高架橋構造の一般的な平面図である（下側：使用状態、上側：収納状態）。
【図５】図１に示す側壁開口集雪式高架橋構造の一般的な側面図である（実線：使用状態、破線：収納状態）。
【図６】図２に示す側壁外方集雪式高架橋構造の一般的な側面図である（実線：使用状態、破線：収納状態）。
【図７】図１に示す側壁開口及び外方集雪式高架橋構造に連続輸送装置を適用した場合の使用状態における一般的な平面図である。
【図８】図１に示す除排雪集雪装置の正面図である。
【図９】図８に示す除排雪集雪装置の横断図である。
【図１０】本発明の他の実施の形態に係る除排雪集雪装置の正面図である。
【図１１】図１０に示す除排雪集雪装置の、収納した状態を示す正面図である。
【図１２】本発明のその他の実施の形態に係る集雪装置の平面図である。
【図１３】図１２に示す集雪装置が開口部に設置された状態を示す縦断面図である。
【符号の説明】
１，１１  開口部
２，２’，１２  除排雪集雪装置
２ａ，２ａ’  中板
２ｂ，２ｂ’  側板
１２ａ  受け板
３，１３  除排雪搬出装置
３ａ，１３ａ  搬出部
３ｂ，１３ｂ  取り卸し部
５，１５  取り卸し位置（所定位置）
【図１】
0003665234.tif 000002
【図２】
0003665234.tif 000003
【図３】
0003665234.tif 000004
【図４】
0003665234.tif 000005
【図５】
0003665234.tif 000006
【図６】
0003665234.tif 000007
【図７】
0003665234.tif 000008
【図８】
0003665234.tif 000009
【図９】
0003665234.tif 000010
【図１０】
0003665234.tif 000011
【図１１】
0003665234.tif 000012
【図１２】
0003665234.tif 000013
【図１３】
0003665234.tif 000014